(57)【要約】  ＨｅｔＮｅｔ  ＣｏＭＰ環境で様々な用途によるＳＲＳの利用を実現するため、ＳＲＳに対し、ＰＵＳＣＨの送信電力制御に制約されない、柔軟な送信電力制御を提供することができる無線端末。無線端末は、アペリオディック・サウンディング・リファレンス・シグナル（Ａ−ＳＲＳ）に適用する送信電力制御コマンド（ＴＰＣコマンド）を含んだ制御信号を下り物理制御チャネル（ＰＤＣＣＨ）を介して受信し、前記ＴＰＣコマンドを用いてＡ−ＳＲＳの送信電力値を更新し、下り物理データチャネル（ＰＤＳＣＨ）割り当てまたは上り物理データチャネル（ＰＵＳＣＨ）割り当てを通知する制御信号に含まれる送信要求に従って、前記更新された送信電力値でＡ−ＳＲＳを送信する。
2014020815.tif 000002
【特許請求の範囲】
【請求項１】
アペリオディック・サウンディング・リファレンス・シグナル（Ａ−ＳＲＳ）に適用する送信電力制御コマンド（ＴＰＣコマンド）を含んだ制御信号を物理下り制御チャネル（ＰＤＣＣＨ）を介して受信する受信部と、
前記ＴＰＣコマンドを用いてＡ−ＳＲＳの送信電力値を更新する制御部と、
物理下りデータチャネル（ＰＤＳＣＨ）割り当てまたは物理上りデータチャネル（ＰＵＳＣＨ）割り当てを通知する制御信号に含まれる送信要求に従って、前記更新された送信電力値でＡ−ＳＲＳを送信する送信部と、
を具備する無線通信端末装置。
【請求項２】
前記Ａ−ＳＲＳは、前記送信要求を含む制御信号の種別と送信要求ビットのステートとが特定の組み合わせの場合に送信されるＡ−ＳＲＳである、
請求項１記載の無線通信端末装置。
【請求項３】
前記ＴＰＣコマンドは、当該無線通信端末装置にＰＵＳＣＨ割り当てを通知する制御信号とは別の制御信号に含まれるＴＰＣコマンドであり、
前記ＴＰＣコマンドを含む制御信号は、１つまたは複数の前記無線通信端末装置を対象とする１つまたは複数のＴＰＣコマンドにより構成され、
前記制御部は、前記制御信号から自端末のＡ−ＳＲＳを対象とするＴＰＣコマンドを検出して、当該ＴＰＣコマンドを用いて前記Ａ−ＳＲＳの送信電力値を更新する、
請求項１記載の無線通信端末装置。
【請求項４】
前記ＴＰＣコマンドを含む制御信号は、１つまたは複数の前記無線通信端末装置に対してＰＵＳＣＨまたは物理上り制御チャネル（ＰＵＣＣＨ）のいずれかのＴＰＣコマンドを１つまたは複数含む制御信号であり、
前記制御信号は、前記１つまたは複数の無線通信端末装置を対象とする１つまたは複数のＴＰＣコマンドにより構成され、
前記制御部は、前記制御信号から自端末のＡ−ＳＲＳを対象とするＴＰＣコマンドを検出して、当該ＴＰＣコマンドを用いて前記Ａ−ＳＲＳの送信電力値を更新する、
請求項２記載の無線通信端末装置。
【請求項５】
前記ＴＰＣコマンドを含む制御信号、および、前記送信要求を含む制御信号の２つの制御信号は、同一サブフレームまたは所定のサブフレーム時間差で送信され、
前記制御部は、前記２つの制御信号が同一サブフレームまたは所定のサブフレーム時間差で検出された場合に限り、前記Ａ−ＳＲＳの送信電力値を更新する、
請求項３記載の無線通信端末装置。
【請求項６】
前記制御部は、同一サブフレームまたは所定のサブフレーム時間差においてＡ−ＳＲＳの送信要求を検出し、Ａ−ＳＲＳのＴＰＣコマンドを検出しなかった場合に、ＰＵＳＣＨのＴＰＣコマンド累積値を用いて前記Ａ−ＳＲＳの送信電力値を計算する、
請求項５記載の無線通信端末装置。
【請求項７】
前記ＴＰＣコマンドを含む制御信号は、ＰＵＣＣＨのＴＰＣコマンドを含む制御信号であり、
前記制御部は、前記ＰＵＣＣＨのＴＰＣコマンドを用いて前記Ａ−ＳＲＳの送信電力値を更新する、
請求項１記載の無線通信端末装置。
【請求項８】
アペリオディック・サウンディング・リファレンス・シグナル（Ａ−ＳＲＳ）に適用する送信電力制御コマンド（ＴＰＣコマンド）を含んだ制御信号を物理下り制御チャネル（ＰＤＣＣＨ）を介して送信する送信部と、
前記ＴＰＣコマンドを用いてＡ−ＳＲＳの送信電力値の更新を指示する制御部と、
受信したＡ−ＳＲＳによりチャネル・ステート・インフォメーション（ＣＳＩ）を測定する制御部と、
物理下りデータチャネル（ＰＤＳＣＨ）割り当てまたは物理上りデータチャネル（ＰＵＳＣＨ）割り当てを通知する制御信号に送信要求を含んで送信する送信部と、
を具備する無線通信基地局装置。
【請求項９】
アペリオディック・サウンディング・リファレンス・シグナル（Ａ−ＳＲＳ）に適用する送信電力制御コマンド（ＴＰＣコマンド）を含んだ制御信号を物理下り制御チャネル（ＰＤＣＣＨ）を介して受信し、
前記ＴＰＣコマンドを用いてＡ−ＳＲＳの送信電力値を更新し、
物理下りデータチャネル（ＰＤＳＣＨ）割り当てまたは物理上りデータチャネル（ＰＵＳＣＨ）割り当てを通知する制御信号に含まれる送信要求に従って、前記更新された送信電力値でＡ−ＳＲＳを送信する、
無線通信方法。
【発明の詳細な説明】
【技術分野】
【０００１】
本発明は、無線通信端末装置、無線通信基地局装置および無線通信方法に関する。
【背景技術】
【０００２】
３ＧＰＰ（3rd Generation Partnership Project）にて策定されたＬＴＥ（Long Term Evolution）およびその進化形であるＬＴＥ−Ａ（LTE-Advanced）の上り回線では、ＰＡＰＲ（Peak-to-Average Power Ratio）が小さく、端末の電力利用効率が高いＳＣ−ＦＤＭＡ（Single-Carrier Frequency-Division Multiple Access）が採用されている（例えば、非特許文献１〜４参照）。また、ＬＴＥおよびＬＴＥ−Ａの上り回線では、端末の伝搬路環境に応じて時間および周波数リソースを配分するスケジューリング、および、符号化率又は変調方式を制御する適応制御が行われる。周波数スケジューリングおよび適応制御を適切に行い、高いスループットを実現するためには、基地局側で端末の伝搬路状況を把握することが必須である。【０００３】
端末の上り回線の伝搬路状況を測定するため、ＬＴＥの上り回線では、ＳＲＳ（Sounding Reference Signal）が用いられる（非特許文献１）。ＳＲＳは、複数のＳＣ−ＦＤＭＡシンボルを含む上り回線サブフレーム（ＰＵＳＣＨ：Physical Uplink Shared Channel）の最終ＳＣ−ＦＤＭＡシンボルで送信される参照信号である。基地局は、ＳＲＳの受信品質又はＳＲＳを用いて算出したＣＳＩ（Channel State Information）により、上り回線の状況を把握することが可能となる。【０００４】
ＬＴＥでは、ＲＲＣ(Radio Resource Control)制御情報など上位レイヤによる指示で通知された時間で周期的に送信するＰ−ＳＲＳ（Periodic-SRS）が採用された。基地局は、あらかじめ端末に対し、ＳＲＳの送信サブフレームとその周期、そして送信するＳＲＳの電力オフセット、周波数帯域幅、周波数ポジション、他の端末のＳＲＳと直交させるためのＣｏｍｂ、ＣＳ（Cyclic Shift）といった直交リソース、を指示しておく。端末は、指示されたサブフレームの最終ＳＣ−ＦＤＭＡシンボルでＳＲＳを送信する。このようにすることで、上り回線でデータおよび制御信号の送信の有り無しに関わらず、基地局は、端末のＣＳＩを周期的に測定することができる。【０００５】
一方、一般に上り回線パケット通信はバースト性が高い。基地局としては、必要な時に必要な帯域のＣＳＩを測定できることが望ましい。また、端末は、上下回線のデータ通信が無くとも周期的にＳＲＳを送信することで、電力を余分に消費してしまう。そこで、ＬＴＥ−Ａでは、上下回線のデータ割り当てを指示する制御信号であるＤＣＩ（Downlink Control Information）に含まれる送信要求に基づいて送信されるＡ−ＳＲＳ（Aperiodic-SRS）が採用された。Ａ−ＳＲＳは要求があるときのみ送信されるので、端末の余分な電力消費を低減できる。さらには他セル干渉の低減、そしてＳＲＳリソースの効率化改善も実現できる。【０００６】
ところで、ＬＴＥ−Ａのさらなる進化版であるＬＴＥ  Ｒｅｌｅａｓｅ  １１(以下、Ｒｅｌ．１１と記載する)では、カバーエリアの異なる複数の基地局（以下、ノードと記載する）をセル内に配置するヘテロジーニアスネットワーク（ＨｅｔＮｅｔ:Heterogeneous Network）の導入が検討されている。ＨｅｔＮｅｔでは、パスロスの小さな受信ノードで受信できること、トラフィックのオフロードを行えること、などにより、高いスループットを実現できる。また、端末は、パスロスの小さな受信ノードに対し送信電力を小さくできることから、消費電力の低減も実現できる。これらの理由により、ＨｅｔＮｅｔでは、マクロノードしか存在しない非ＨｅｔＮｅｔと比較して、端末の所要送信電力を低減しつつ、通信速度の改善を実現することができる。【０００７】
また、Ｒｅｌ.１１  ＨｅｔＮｅｔでは、これらのノードが協調して信号の送受信を行うＣｏＭＰ（Coordinated Multi-Point）も検討されている（非特許文献４）。図１にＨｅｔＮｅｔ  ＣｏＭＰシステムの例を示す。ＨｅｔＮｅｔ  ＣｏＭＰは、１つまたは複数のマクロ基地局（マクロノード）、１つまたは複数のピコ基地局（ピコノード）、１つまたは複数の端末により構成される。ＣｏＭＰでは、例えば、干渉の影響を強く受けるセル端の端末が送信した信号を複数のノードで受信して合成することで、ＳＩＮＲ（Signal-to-Interference plus Noise Power Ratio）を高めることができる。また、ノード間が協調して送受信することができるので、上り回線と下り回線とで独立に最適なノードを用いることができる。例えばＰＤＳＣＨは、端末の受信電力が最大となるノードで送信することが望ましく、ＰＵＳＣＨはパスロスが最小となるノードで受信することが望ましい。ＣｏＭＰの導入により上下回線で別々のノードと通信することが可能となるため、上下回線でスループットおよび品質が大きく異なるようなことが起こりづらくなる。【０００８】
ＨｅｔＮｅｔ  ＣｏＭＰの効果を得るには、地理的に分散するノードから、通信に参加する送受信ノードを適切に選択し、周辺の状況または端末の状況に応じて適切に切り替えていくことが重要である。送受信ノードの選択および切り替えには、上り回線および下り回線で送信される参照信号（ＣＲＳ、ＣＳＩ−ＲＳ、ＳＲＳなど）の利用が考えられる。下り回線で送信されるＣＲＳまたはＣＳＩ−ＲＳを用いる場合、端末が各ノードまでのＣＳＩを測定し、上り回線を用いてフィードバックする。そして、フィードバックされたＣＳＩに基づいて、基地局側で送受信ノードを決定する。一方、上り回線で送信されるＳＲＳを用いる場合、端末が送信するＳＲＳにより基地局側で直接ＣＳＩを測定することができる。したがって、ＳＲＳを用いる方法は、ＣＲＳまたはＣＳＩ−ＲＳを用いる方法に比べて、端末が基地局にフィードバックする情報量を少なくすることができる。また、端末の測定からフィードバック完了までの時間を省略できるので、フィードバック遅延も小さくすることができる。【０００９】
また、ＴＤＤ（Time-division duplex）の場合、チャネルの可逆性が成立するため、ＳＲＳによるＣＳＩ測定結果をもとに下り回線のプリコーディング、ＰＤＳＣＨのスケジューリング、または、適応制御が可能であることが知られている。ＨｅｔＮｅｔ  ＣｏＭＰでは、複数のノードがセル内に分散することから、パスロスの小さなノードと通信できる確率が高くなる。したがって、ＳＲＳを利用した下り回線の適応制御も利用する可能性が高いと言える。【００１０】
以上のように、ＨｅｔＮｅｔおよびＣｏＭＰが導入されるＲｅｌ．１１以降では、ＳＲＳは、これまでのような上り回線のスケジューリングおよび適応制御だけでなく、送受信ノードの選択および下り回線の適応制御など、様々な用途で用いられることが考えられる。
【先行技術文献】
【非特許文献】
【００１１】
【非特許文献１】3GPP TS 36.211 V10.4.0、 “Physical Channels and Modulation （Release 10）、” Dec. 2011
【非特許文献２】3GPP TS 36.212 V10.4.0、 “Multiplexing and channel coding （Release 10）、” Dec. 2011
【非特許文献３】3GPP TS 36.213 V10.4.0、 “Physical layer procedures （Release 10）、” Dec. 2011
【非特許文献４】3GPP TR 36.819 v11.1.0、 “Coordinated multi-point operation for LTE physical layer aspects、” Dec. 2011
【発明の概要】
【発明が解決しようとする課題】
【００１２】
上り回線データ信号の受信ノードは、端末に最も近い１つまたは複数の受信ノードとなることが想定される。これは、他セル干渉または端末の電力消費を抑えるためである。一方、ＳＲＳが送受信ノードの選択または下り回線の適応制御に用いられることを考慮すると、ＳＲＳはより広い範囲のノードで受信できることが求められる。すなわち、ＨｅｔＮｅｔでは、上り回線データ信号とＳＲＳとでは異なるノードで受信できることが求められる。【００１３】
ＳＲＳの送信電力は式（１）で与えられる。ここでPCMAX,c(i)、PO_PUSCH,c(j)、αC(j)・PLc、fc(i)はＰＵＳＣＨの送信電力式に含まれる項の流用である。10log10(MSRS,c)はＳＲＳの送信電力を送信帯域幅に比例させるための項、つまり送信電力密度を一定に保つための項である。したがって、ＰＵＳＣＨと異なるのは、上位レイヤから通知されるパラメータPSRS_OFFSET,c(m)のみである。PSRS_OFFSET,c(m)は、上り回線データ（ＰＵＳＣＨ）に対して、ＳＲＳに与える送信電力オフセットを表わす。なお、PSRS_OFFSET,c(m)はＳＲＳの種別（Ａ−ＳＲＳかＰ−ＳＲＳか）に応じて独立な値を２つ設定可能である。すなわち、Ａ−ＳＲＳとＰ−ＳＲＳとに対して異なる送信電力オフセットを与えることができる。以上のことから、ＳＲＳには上位レイヤからのパラメータを用いて、ＰＵＳＣＨと異なる電力に設定できることがわかる。これを利用すれば、Ａ−ＳＲＳまたはＰ−ＳＲＳを、ＰＵＳＣＨを受信する対象ノードよりも多くの受信ノードで受信するのに適切な、大きい送信電力に設定することが可能となる。図２に、電力オフセットPSRS_OFFSET,c(m)を用いて、ＰＵＳＣＨとＳＲＳとで異なるカバレッジを実現している例を示す。
【数１】
2014020815.tif 000003
【００１４】
ところが、上位レイヤから通知される電力オフセットでは、頻繁かつ高速な送信電力制御を行うことはできない。特に端末の移動または周囲の環境変化に伴うフェージング変動に追従することができないという問題がある。ＬＴＥでは、上り制御信号（ＰＵＣＣＨ：Physical Uplink Control Channel）またはＰＵＳＣＨに対して高速な送信電力制御を行う方法として、データ割り当てを指示する制御信号（ＤＣＩ）に含まれるＴＰＣコマンドが使用される。ＴＰＣコマンドは受信するたびに累積されていき、送信電力の計算に用いられる。これにより、基地局は、端末の状況に応じてＴＰＣコマンドで送信電力制御を指示し、上位レイヤによる通知よりも、高速かつ緻密に送信電力を変えることができる。以下、ＴＰＣコマンドによる電力制御を、閉ループＴＰＣと記載する。【００１５】
従前の方法では、ＰＵＳＣＨの閉ループＴＰＣとＰＵＣＣＨの閉ループＴＰＣとが別々に行われる。すなわち、複数存在するＤＣＩ  ｆｏｒｍａｔのうち、ＰＵＳＣＨのデータ割り当て情報を通知するＤＣＩ  ｆｏｒｍａｔ  ０／４に含まれるＴＰＣコマンドはＰＵＳＣＨの閉ループＴＰＣに用いられ、ＰＤＳＣＨのデータ割り当て情報を通知するＤＣＩ  ｆｏｒｍａｔ  １／１Ａ／１Ｂ／１Ｄ／２／２Ａ／２Ｂ／２Ｃに含まれるＴＰＣコマンドはＰＵＣＣＨの閉ループＴＰＣに用いられる。以下、ＰＵＳＣＨのＴＰＣコマンド累積値をｆｃ（ｉ）で表し、ＰＵＣＣＨのＴＰＣコマンド累積値をｇ（ｉ）で表す。【００１６】
式（１）から分かるように、ＳＲＳの送信電力でも閉ループＴＰＣによる制御が行われる。しかしこれは、ＰＵＳＣＨのＴＰＣコマンド累積値ｆｃ（ｉ）の流用である。これはすなわち、ＳＲＳを受信するノードが、ＰＵＳＣＨのデータを受信するノードと同一であると想定されていることを表わしている。従前のシステムでは、ＰＵＳＣＨの受信ノードはＳＲＳの受信ノードと常に同じであり、ＳＲＳはＰＵＳＣＨのスケジューリングのためのＣＳＩ測定を行う目的で送信されていたため、このような想定で運用が可能であった。しかし前述のように、Ｒｅｌ．１１では、上り回線データ（ＰＵＳＣＨ）とＳＲＳとは異なるノードで受信することが考えられる。このような場合には、それぞれ独立なＴＰＣコマンドによって別々に送信電力制御を行えることが望ましい。【００１７】
図３は、端末がマクロノードからＰＤＳＣＨ等を受信し、ピコノードにＰＵＳＣＨを送信している例である。ＰＵＳＣＨデータの受信範囲（カバレッジ）とＳＲＳのカバレッジとは、送信電力オフセットにより異なる大きさになっている。このとき端末がＰＵＳＣＨ受信ピコノードに近づくと、基地局は、ＴＰＣコマンドにより送信電力を下げるように指示を出す。ＳＲＳの送信電力も当該ＴＰＣコマンドにしたがって下がっていくので、図３に示すマクロノードなどにおいて、ＳＲＳを所要の品質で受信できなくなってしまう。反対に、端末がＰＵＳＣＨ受信ピコノードから離れていくと、基地局は、ＴＰＣコマンドにより送信電力を上げるよう指示を出す。ＳＲＳの送信電力も当該ＴＰＣコマンドにしたがって上がるので、過剰な電力で送信されることになる。このような過剰電力のＳＲＳは他セルに対する干渉を増大させるので、結局、ＳＲＳのＣＳＩ測定精度を劣化させることになってしまう。【００１８】
本発明の目的は、ＨｅｔＮｅｔ  ＣｏＭＰ環境で様々な用途によるＳＲＳの利用を実現するため、ＳＲＳに対し、ＰＵＳＣＨの送信電力制御に制約されない、柔軟な送信電力制御を行うことができる無線通信端末装置、無線通信基地局装置および無線通信方法を提供することである。
【課題を解決するための手段】
【００１９】
本発明の一態様に係る無線通信端末装置は、Ａ−ＳＲＳに適用するＴＰＣコマンドを含んだ制御信号を物理下り制御チャネルを介して受信する受信部と、前記ＴＰＣコマンドを用いてＡ−ＳＲＳの送信電力値を更新する制御部と、物理下りデータチャネル割り当てまたは物理上りデータチャネル割り当てを通知する制御信号に含まれる送信要求に従って、前記更新された送信電力値でＡ−ＳＲＳを送信する送信部と、を具備する構成を採る。【００２０】
本発明の一態様に係る無線通信基地局装置は、Ａ−ＳＲＳに適用するＴＰＣコマンドを含んだ制御信号および物理下りデータチャネル割り当てまたは物理上りデータチャネル割り当てを通知する制御信号を物理下り制御チャネルを介して送信する送信部と、前記ＴＰＣコマンドの値やＡ−ＳＲＳ送信要求、ならびに送受信参加ノードをＣＳＩ測定結果に基づいて決定する制御部と、を具備する構成を採る。【００２１】
本発明の一態様に係る無線通信方法は、Ａ−ＳＲＳに適用するＴＰＣコマンドを含んだ制御信号を物理下り制御チャネルを介して受信し、前記ＴＰＣコマンドを用いてＡ−ＳＲＳの送信電力値を更新し、物理下りデータチャネル割り当てまたは物理上りデータチャネル割り当てを通知する制御信号に含まれる送信要求に従って、前記更新された送信電力値でＡ−ＳＲＳを送信する。
【発明の効果】
【００２２】
本発明によれば、端末が、ＳＲＳに対してＰＵＳＣＨとは独立な送信電力制御を行うことができる。
【図面の簡単な説明】
【００２３】
【図１】ＨｅｔＮｅｔ  ＣｏＭＰのセル概念図
【図２】上り回線データとＳＲＳの受信範囲（カバレッジ）を表す図
【図３】ＨｅｔＮｅｔ  ＣｏＭＰにおいて従前の閉ループＴＰＣを行った例を表す図
【図４】本発明の実施の形態１に係るマクロノードの要部構成を示すブロック図
【図５】本発明の実施の形態１に係るピコノードの要部構成を示すブロック図
【図６】本発明の実施の形態１に係る端末の要部構成を示すブロック図
【図７】本発明の実施の形態１に係る送信電力制御の結果を表す図
【発明を実施するための形態】
【００２４】
以下、本発明の実施の形態について図面を参照して詳細に説明する。なお、実施の形態において、同一の構成要素には同一の符号を付し、その詳しい説明は省略する。
【００２５】
＜実施の形態１＞
［ネットワークシステムの構成］
本発明の実施の形態１に係るネットワークシステムは、ＨｅｔＮｅｔまたはＨｅｔＮｅｔ  ＣｏＭＰであり、図１に示すように、マクロノード１００、ピコノード２００および端末（ＵＥ）３００から構成される。各マクロセルには、１つのマクロノード１００と１つ又は複数のピコノード２００とが設置される。なお、ピコノード２００は、独自のピコセルを形成するピコ基地局であっても良いし、マクロセルの分散送受信アンテナの一部として端末と通信を行う、ＲＲＨ(Remote radio head)のようなものであっても良い。マクロノード１００と各ピコノード２００とは、光ファイバなど低遅延大容量のインターフェースで接続されている。セル内のマクロノード１００および各ピコノード２００は、セル内に存在する各端末３００に割り当てられたＳＲＳの送信パラメータを共有し、そのＳＲＳを受信してＣＳＩを測定する。各端末３００は、マクロノード１００によって選択された１つまたは複数のノード１００、２００と無線通信を行う。なお、下り回線の送信ノードと上り回線の受信ノードは同じでも良いし、異なっていても良い。また、送信ノードおよび受信ノードは端末３００ごとに個別に設定される。
【００２６】
本実施の形態では、各端末３００は、ＰＵＳＣＨに対する従来の閉ループＴＰＣに加え、下り回線サブフレームのＰＤＣＣＨで送信される制御信号の一種であるＤＣＩ  ｆｏｒｍａｔ  ３／３Ａを用いて、Ａ−ＳＲＳの閉ループＴＰＣを行う。
【００２７】
なお、ＤＣＩ  ｆｏｒｍａｔ  ３／３Ａは、多数のＴＰＣコマンドを１つの制御情報として、１つまたは複数の端末３００に送信できる制御信号である。ＤＣＩ  ｆｏｒｍａｔ  ３／３ＡのＣＲＣはあるＩＤ（ＲＮＴＩ）にてスクランブルされており、ＤＣＩ  ｆｏｒｍａｔ  ３／３Ａを復号するには、基地局は端末３００に対し当該ＲＮＴＩを予め通知しておく必要がある。また、同一ＲＮＴＩでＤＣＩ  ｆｏｒｍａｔ  ３／３Ａを復号する端末３００間で、どのＴＰＣコマンドが自端末宛のＴＰＣコマンドなのかを判断するため、ＲＮＴＩとは別にＴＰＣコマンドインデックスが必要となる。
【００２８】
したがって、本実施の形態では、基地局は、ＤＣＩ  ｆｏｒｍａｔ  ３／３Ａを用いてＡ−ＳＲＳの閉ループＴＰＣを行う端末３００に対し、ＲＲＣ制御信号等により端末個別の制御情報として、端末３００間で共通のＲＮＴＩ並びに端末３００間で異なるＴＰＣコマンドインデックスを事前に通知しているものとする。以下、Ａ−ＳＲＳ用のＤＣＩ  ｆｏｒｍａｔ  ３／３Ａの復号に用いるＲＮＴＩを、ＴＰＣ−ＳＲＳ−ＲＮＴＩと記載する。ＤＣＩ  ｆｏｒｍａｔ  ３／３Ａによる閉ループＴＰＣを行わない端末３００は、従前のＲｅｌ.１０と同様にして、Ａ−ＳＲＳをＰＵＳＣＨの閉ループＴＰＣに連動させる。すなわち、式（１）による送信電力を用いる。なお、Ｐ−ＳＲＳの送信には、従前のＲｅｌ.１０と同様に式（１）による送信電力を用いるものとする。
【００２９】
［マクロノードの構成］
図４は、本実施の形態に係るマクロノード１００の要部構成を示すブロック図である。図４に示すマクロノード１００は、受信部１０１と、測定部１０２と、基地局間インターフェース（ＩＦ）部１０３と、制御部１０４と、送信部１０５と、データ判定部１０６と、から主に構成されている。なお、制御部１０４はマクロノードに限定されず、マクロノード１００と各ピコノード２００とを接続するＨｅｔＮｅｔ  ＣｏＭＰシステムの中に１つあれば良い。あるいは、複数ある制御部１０４間で情報をやりとりし、どれか１つを制御部１０４として動作させることもできる。以下では、制御部１０４は、マクロノード１００の一部として実装されているものと仮定する。
【００３０】
受信部１０１は、各端末３００から送信され、アンテナを介して受信された無線信号に対して受信無線処理（ダウンコンバート、復調、復号等）を行い、ＳＲＳ、ＰＵＳＣＨ、ＰＵＣＣＨ等を抽出する。受信部１０１は、ＳＲＳを測定部１０２に出力する。また、受信部１０１は、マクロノード１００が端末３００のＰＵＳＣＨ受信ノードである場合、ＰＵＳＣＨをデータ判定部１０６へ出力する。
【００３１】
測定部１０２は、ＳＲＳによりＣＳＩを測定し、測定結果を制御部１０４に出力する。
【００３２】
基地局間インターフェース部１０３は、ピコノード２００との間で有線通信を行う。具体的には、基地局間インターフェース部１０３は、ピコノード２００から送信されたＣＳＩ測定結果を受信し、マクロノード１００の制御部１０４に転送する。また、基地局間インターフェース部１０３は、制御部１０４によって選択された送受信参加ノードに対し、送受信への参加指示を示す情報を送信する。また、基地局間インターフェース部１０３は、ピコノード２００に対し、ＰＤＳＣＨおよびＰＵＳＣＨのスケジューリング情報、および、端末３００とＰＤＳＣＨおよびＰＵＳＣＨの送受信を行うために必要なパラメータを送信する。また、基地局間インターフェース部１０３は、ピコノード２００から転送された端末３００の上り回線データを受信し、マクロノード１００のデータ判定部１０６に出力する。
【００３３】
制御部１０４は、送受信参加ノードの選択、ＰＤＳＣＨおよびＰＵＳＣＨのスケジューリングおよびパラメータ設定、ＰＵＳＣＨおよびＰＵＣＣＨの送信電力制御、Ａ−ＳＲＳの送信電力制御等、各所の制御を行う。具体的には、制御部１０４は、マクロノード１００およびピコノード２００にて受信したＳＲＳから測定したＣＳＩを用いて、個別端末３００それぞれの送受信参加ノードを選択する。また、制御部１０４は、上記ＣＳＩ測定結果を用いてＰＤＳＣＨおよびＰＵＳＣＨのスケジューリングを決定する。同時に、制御部１０４は、端末３００ごとのＰＤＳＣＨおよびＰＵＳＣＨ送受信パラメータを決定する。
【００３４】
また、制御部１０４は、個別端末３００に指示する閉ループＴＰＣのＴＰＣコマンドを決定する。具体的には、制御部１０４は、各ノードで受信したＰＵＳＣＨの受信品質またはＳＲＳの受信品質を、基地局間インターフェース部１０３を介して集め、次回のＰＵＳＣＨ、ＰＵＣＣＨ、およびＡ−ＳＲＳ割り当て時に指示するＴＰＣコマンドの値を決定する。そして制御部１０４は、ＰＵＳＣＨの送信電力制御を指示する２ビットのＴＰＣコマンドを生成し、上り回線のデータ割り当てを指示するＤＣＩ  ｆｏｒｍａｔ  ０／４に含める。また、制御部１０４は、Ａ−ＳＲＳの送信電力制御を指示する１または２ビットのＴＰＣコマンドを生成し、ＤＣＩ  ｆｏｒｍａｔ  ３／３Ａに含める。また、制御部１０４は、ＰＵＣＣＨの送信電力制御を指示する２ビットのＴＰＣコマンドを生成し、下り回線のデータ割り当てを指示するＤＣＩ  ｆｏｒｍａｔ  １／１Ａ／１Ｂ／１Ｄ／２／２Ａ／２Ｂ／２Ｃに含める。また、制御部１０４は、Ａ−ＳＲＳの送信要求を指示する１または２ビットの送信要求コマンドを生成し、ＤＣＩ  ｆｏｒｍａｔ  ０／４またはＤＣＩ  ｆｏｒｍａｔ  １Ａ／２Ｂ／２Ｃに含める。制御部１０４は、これらのＤＣＩを、端末３００に対する送信に参加する送信ノード２００に転送する。なお、制御部１０４は、マクロノード１００自身が送信参加ノードである場合、これらのＤＣＩを送信部１０５へと出力する。
【００３５】
送信部１０５は、制御部１０４から入力された各種ＤＣＩと各端末３００へのデータを用いてＰＤＣＣＨとＰＤＳＣＨ等を生成し、下り回線サブフレームを構成する。そして、送信部１０５は、下り回線サブフレームに対して送信無線処理（アップコンバート等）を行い、アンテナを介して各端末３００に送信する。
【００３６】
データ判定部１０６は、受信部１０１から入力されたＰＵＳＣＨおよび基地局間インターフェース部１０３を介して受信参加ノードより転送されたＰＵＳＣＨを用いて、チャネル等化、データ復調、データ復号、および誤り判定を行う。誤り判定にはＣＲＣ(Cyclic Redundancy Check)符号などが用いられる。データ判定部１０６は、誤りがなければ端末３００に対して次のデータ割当を行う。一方、データ判定部１０６は、誤りが検出された場合、端末３００に対してそのデータの再送制御を行う。
【００３７】
［ピコノードの構成］
図５は、本実施の形態に係るピコノード２００の要部構成を示すブロック図である。図５に示すピコノード２００は、受信部２０１と、測定部２０２と、基地局間インターフェース部２０３と、送信部２０４と、から主に構成されている。
【００３８】
受信部２０１は、各端末３００から送信され、アンテナを介して受信された無線信号に対して受信無線処理（ダウンコンバート等）を行い、ＳＲＳ、ＰＵＳＣＨ、ＰＵＣＣＨ等を抽出する。受信部２０１は、ＳＲＳを測定部２０２に出力する。また、受信部２０１は、抽出したＰＵＣＣＨおよびＰＵＳＣＨを基地局間インターフェース部２０３へ出力する。
【００３９】
測定部２０２は、ＳＲＳによりＣＳＩを測定し、測定結果を基地局間インターフェース部２０３に出力する。この測定結果はマクロノード１００の制御部１０４へと転送される。
【００４０】
基地局間インターフェース部２０３は、マクロノード１００との間で有線通信を行う。具体的には、基地局間インターフェース部２０３は、測定部２０２より入力されたＣＳＩ測定結果をマクロノード１００へと転送する。また、基地局間インターフェース部２０３は、マクロノード１００から、当該ピコノード２００が端末３００の送受信参加ノードであるか否かの通知情報を受信する。また、基地局間インターフェース部２０３は、マクロノード１００から、ＰＤＳＣＨおよびＰＵＳＣＨのスケジューリング情報、および、ＰＤＳＣＨおよびＰＵＳＣＨの送受信に必要なパラメータを受信する。また、基地局間インターフェース部２０３は、受信部２０１から入力された端末３００のＰＵＳＣＨおよびＰＵＣＣＨを、マクロノード１００のデータ判定部１０６に出力する。また、基地局間インターフェース部２０３は、ピコノード２００が送信ノードである場合、マクロノード１００で生成されたＤＣＩを受信し、送信部２０４へ出力する。
【００４１】
送信部２０４は、基地局間インターフェース部２０３から入力された各種ＤＣＩと各端末３００へのデータを用いてＰＤＣＣＨとＰＤＳＣＨ等を生成し、下り回線サブフレームを構成する。そして、送信部２０４は、下り回線サブフレームに対して送信無線処理（アップコンバート等）を行い、アンテナを介して各端末３００に送信する。
【００４２】
［端末の構成］
図６は、本実施の形態に係る端末３００の要部構成を示すブロック図である。図６に示す端末３００は、受信部３０１と、制御部３０２と、送信部３０３と、から主に構成されている。
【００４３】
受信部３０１は、アンテナを介して受信された無線信号に対して受信無線処理（ダウンコンバート等）を行い、ＰＤＣＣＨ、ＰＤＳＣＨ等を抽出する。そして、受信部３０１は、ＰＤＣＣＨから、ＰＤＳＣＨおよびＰＵＳＣＨの割り当て情報、Ａ−ＳＲＳ送信要求、ＰＵＳＣＨの閉ループＴＰＣを行うＴＰＣコマンド、ＰＵＣＣＨの閉ループＴＰＣを行うＴＰＣコマンド、Ａ−ＳＲＳの閉ループＴＰＣを行うＴＰＣコマンド、等を抽出する。そして受信部３０１は、これらの情報を制御部３０２へ出力する。
【００４４】
制御部３０２は、受信部３０１から入力されたＴＰＣコマンドを用いて、閉ループＴＰＣを行う。ＴＰＣ−ＳＲＳ−ＲＮＴＩとＴＰＣコマンドインデックスが通知された端末３００は、ＰＵＳＣＨ、ＰＵＣＣＨ、Ａ−ＳＲＳに対応するＴＰＣコマンド累積値を保持しており、新たに受信した各ＴＰＣコマンドを、それぞれに加算して更新する。また、Ａ−ＳＲＳの送信要求がある場合、制御部３０２は、次のＡ−ＳＲＳ送信可能タイミングにおいてＡ−ＳＲＳを送信することを送信部３０３に指示する。なお、ＤＣＩ  ｆｏｒｍａｔ  ３／３ＡによるＴＰＣコマンドが適用されるのはＡ−ＳＲＳのみであり、Ｐ−ＳＲＳは従前のＰ−ＳＲＳと同じ送信電力およびタイミング、周期で送信される。
【００４５】
送信部３０３は、ＰＵＳＣＨ、ＰＵＣＣＨ、ＳＲＳ等に対して送信無線処理（アップコンバート等）を行い、アンテナを介して送信する。なお、送信部３０３は、制御部３０２から指示された送信パラメータに従ってＰＵＳＣＨ、ＰＵＣＣＨ、ＳＲＳ等に対して送信無線処理を行う。
【００４６】
［動作フロー］
次に、本実施の形態に係る各装置の主要な処理手順について、以下ステップ（１）〜ステップ（４）により説明する。
【００４７】
ステップ（１）：マクロノード１００は、各端末３００に対し、Ｐ−ＳＲＳ、Ａ−ＳＲＳそれぞれのパラメータセットを上位レイヤの制御情報として予め通知する。パラメータセットには、セル内の端末３００間で共通のパラメータと、セル内の端末３００間で個別に割り当てられるパラメータが含まれる。このパラメータセットはＰ−ＳＲＳおよびＡ−ＳＲＳそれぞれを生成するのに必要なパラメータセットであり、ベース系列、周波数リソース、時間リソース、直交リソースなどを同定するのに必要なパラメータが含まれる。ここで周波数リソースとは帯域幅、周波数ポジション、周波数ホッピングの有無等であり、時間リソースとはＰ−ＳＲＳの送信周期とサブフレーム番号、Ａ−ＳＲＳの送信可能サブフレーム番号等であり、直交リソースとは端末３００間で異なるように割り当てられるＣｏｍｂ番号、ＣＳ（Cyclic Shift）番号等のことである。また、上記パラメータセットには、式（１）に含まれるＳＲＳ送信電力オフセット値PSRS_OFFSET,c(m)が含まれる。ここで、PSRS_OFFSET,c(m)はＰ−ＳＲＳへ適用する値と、Ａ−ＳＲＳへ適用する値との２つがある。また、上記パラメータセットには、ＴＰＣ−ＳＲＳ−ＲＮＴＩおよびＴＰＣコマンドインデックスが含まれる。これらは端末３００に対する送信ノードから送信される。
【００４８】
Ａ−ＳＲＳは、送信要求を含むＤＣＩの種別と送信要求ビットの値に応じて、一部パラメータを独立な設定にすることができる。具体的には、帯域幅、周波数ポジション、Ｃｏｍｂ番号、ＣＳ番号など、を５セット設定しておき、ＤＣＩ  ｆｏｒｍａｔ  ０（送信要求ビットが“１”）、ＤＣＩ  ｆｏｒｍａｔ  １Ａ／２Ｂ／２Ｃ（送信要求ビットが“１”）、ＤＣＩ  ｆｏｒｍａｔ  ４（送信要求ビットが“０１”）、（送信要求ビットが“１０”）、（送信要求ビットが“１１”）の５つによって何れのセットのＡ−ＳＲＳを送信させるか、を選択することができる。
【００４９】
ステップ（２）：さらにマクロノード１００は、各端末３００に対し、Ａ−ＳＲＳの閉ループＴＰＣをＤＣＩ  ｆｏｒｍａｔ  ３／３Ａを用いて行うか否かを上位レイヤの制御情報として通知する。これは、ＴＰＣ−ＳＲＳ−ＲＮＴＩが通知されたか否かで判断するとしてもよいし、別途制御情報として通知してもよい。通知がない場合にはＤＣＩ  ｆｏｒｍａｔ  ３／３Ａを用いて行うとしても良いし、従来方式と同様、通知がない場合にはＤＣＩ  ｆｏｒｍａｔ  ０／４のＴＰＣコマンドを用いて閉ループＴＰＣを行うとしてもよい。
【００５０】
ステップ（３）：次に、端末３００は、基地局から通知されたＰ−ＳＲＳのパラメータセットに従ってＰ−ＳＲＳ送信リソースを設定する。そして、端末３００は、Ｐ−ＳＲＳを周期送信する。また、端末３００は、基地局の送信ノードから送信されるＤＣＩ  ｆｏｒｍａｔ  ０／１Ａ／２Ｂ／２Ｃ／４を受信し、Ａ−ＳＲＳの送信が要求されているか否かをチェックする。送信が要求された場合、端末３００は、ＤＣＩの種別および送信要求ビットの値によって定まるいずれかのＡ−ＳＲＳを、あらかじめ設定されたＡ−ＳＲＳ送信可能サブフレームにおいて送信する。ここで、ＤＣＩ  ｆｏｒｍａｔ  ３／３Ａによる閉ループＴＰＣが設定されていない端末３００は、両ＳＲＳの送信電力を式（１）とする。一方でＤＣＩ  ｆｏｒｍａｔ  ３／３Ａによる閉ループＴＰＣが設定された端末３００は、Ｐ−ＳＲＳの送信電力は式（１）とし、Ａ−ＳＲＳの送信電力は式（２）で与える。ここで、式（２）に含まれるｈｃ（ｉ）は、ＤＣＩ  ｆｏｒｍａｔ  ３／３ＡによるＡ−ＳＲＳのＴＰＣコマンドを累積した値である。
【数２】
2014020815.tif 000004
【００５１】
なお、ｈｃ（ｉ）は、ＤＣＩ  ｆｏｒｍａｔ  ３／３ＡによるＡ−ＳＲＳの閉ループＴＰＣが設定された時点ではｈｃ（ｉ）＝ｆｃ（ｉ）とし、設定時点の初期値をｆｃ（ｉ）と等しいとしてもよいし、ＤＣＩ  ｆｏｒｍａｔ  ３／３ＡによるＡ−ＳＲＳの閉ループＴＰＣが設定された時点ではｈｃ（ｉ）＝０とし、設定時点の初期値を０としてもよい。ＲＲＣ制御信号による送信電力パラメータの更新をあまり行わない運用では、閉ループＴＰＣに依存した電力制御となる。このような場合にはｆｃ（ｉ）の値が０とは大きく異なる可能性があるため、設定時点でｈｃ（ｉ）＝ｆｃ（ｉ）とすることで、Ａ−ＳＲＳのＤＣＩ  ｆｏｒｍａｔ  ３／３Ａによる閉ループＴＰＣが設定されたときに端末が送信するＡ−ＳＲＳの送信電力が急変するのを回避することができる。一方、ＲＲＣ制御信号による送信電力パラメータの更新を頻繁に行う運用では、閉ループＴＰＣにあまり依存しない運用となる。この場合にはｆｃ（ｉ）が０周辺の値である可能性が高く、設定時点でｈｃ（ｉ）＝０とすることで、余分な累積値が残留するのを防ぐことができる。
【００５２】
また、端末３００は、基地局の送信ノードから送信されるＰＤＳＣＨに含まれる各種のＤＣＩを受信し、ＰＵＳＣＨ、ＰＵＣＣＨ、およびＡ−ＳＲＳそれぞれに対するＴＰＣコマンドを検出する。そして、端末３００は、ＴＰＣコマンドに基づき、ＰＵＳＣＨ、ＰＵＣＣＨ、Ａ−ＳＲＳそれぞれに対する閉ループＴＰＣを行う。
【００５３】
ステップ（４）：各基地局（マクロノード１００、ピコノード２００）は、端末３００が送信したＰＵＳＣＨ、ＰＵＣＣＨ、ＳＲＳを受信する。ＳＲＳはＣＳＩの計算に用いられ、ＰＵＳＣＨ、ＰＵＣＣＨは復号してデータおよび制御情報として判定される。マクロノード１００は、各ノードがＳＲＳを受信して得たＣＳＩ測定結果に基づき、送受信参加ノードを決定する。また、マクロノード１００は、送信参加ノードにおけるＣＳＩ測定結果に基づき、ＰＤＳＣＨのスケジューリングおよび適応制御を決定する。また、マクロノード１００は、受信参加ノードにおけるＣＳＩ測定結果ならびにＰＵＳＣＨ受信品質に基づき、以降のＰＵＳＣＨのスケジューリングおよび適応制御を決定する。Ｐ−ＳＲＳは周期的に受信されるので、受信ノードは継続的に監視される。一方、Ａ−ＳＲＳは送信要求のあるときにしか送信されない。
【００５４】
[効果]
以上の通り、本実施の形態では、端末３００が、基地局の送信ノードから送信されたＤＣＩに含まれるＴＰＣコマンドに基づいて、Ａ−ＳＲＳの閉ループＴＰＣを、ＰＵＳＣＨとは独立に行うことができる。図７に、本実施の形態を用いた場合のＰＵＳＣＨとＡ−ＳＲＳとの送信電力制御の変化の一例を表す。このように、端末３００の移動に伴う伝搬路の変動または周囲の環境変化などがあっても、Ａ−ＳＲＳをＡ−ＳＲＳ受信ノードでの所望受信電力を満たすよう制御することができる。したがって、送受信参加ノードの決定、または、送信ノードにおけるＣＳＩ測定（ＰＤＳＣＨスケジューリングに用いられる）などにＡ−ＳＲＳを用いる際、適切なＡ−ＳＲＳの送信電力を保つことができる。
【００５５】
また、本実施の形態によれば、Ａ−ＳＲＳの送信電力制御はＤＣＩ  ｆｏｒｍａｔ  ３／３Ａを用いて行われる。ＤＣＩ  ｆｏｒｍａｔ  ３／３Ａは多数のＴＰＣコマンドを収容可能である。このため、同様にＡ−ＳＲＳの送信電力制御をＤＣＩ  ｆｏｒｍａｔ  ３／３Ａにより行う複数端末３００に対して同じＴＰＣ−ＳＲＳ−ＲＮＴＩと、それぞれの端末３００で異なるＴＰＣコマンドインデックスを通知しておくことで、１つのＤＣＩ  ｆｏｒｍａｔ  ３／３Ａにより複数端末のＴＰＣコマンドを同時に送ることができるので、オーバーヘッドの増加を最小限に抑えられる。
【００５６】
[バリエーション1]
実施の形態１では、ＤＣＩ  ｆｏｒｍａｔ  ３／３ＡによりＡ−ＳＲＳの閉ループＴＰＣを行う場合について説明した。しかし、マクロノード１００の指示に従って、特定のＡ−ＳＲＳのみＤＣＩ  ｆｏｒｍａｔ  ３／３Ａにより閉ループＴＰＣを行う、としてもよい。特定のＡ−ＳＲＳとは、前述のようにＤＣＩの種別および送信要求ビットの値によって独立に設定されるパラメータセットを有する、５種類のＡ−ＳＲＳのうちいずれか、である。
【００５７】
送信要求ビットを含むＤＣＩのうち、ＤＣＩ  ｆｏｒｍａｔ  ０／４は上り回線のデータ割り当て情報を指示するＤＣＩであり、ＤＣＩ  ｆｏｒｍａｔ  １Ａ／２Ｂ／２Ｃは下り回線のデータ割り当てを指示するＤＣＩである。パケットデータのトラフィックは多くの場合、バースト性であるため、ＰＤＳＣＨおよびＰＵＳＣＨの割り当ては時間的に集中する可能性が高い。言い換えれば、ＤＣＩ  ｆｏｒｍａｔ  ０／４およびＰＵＳＣＨの送受信、または、ＤＣＩ  ｆｏｒｍａｔ  １Ａ／２Ｂ／２ＣおよびＰＤＳＣＨ・ＰＵＣＣＨの送受信は、連続して行われる可能性が高い。したがって、ＤＣＩ  ｆｏｒｍａｔ  ０／４に含まれる送信要求に従って送信されるＡ−ＳＲＳは、ＰＵＳＣＨの閉ループＴＰＣに連動させ、ＤＣＩ  ｆｏｒｍａｔ  １Ａ／２Ｂ／２Ｃに含まれる送信要求に従って送信されるＡ−ＳＲＳに対しては、ＤＣＩ  ｆｏｒｍａｔ  ３／３ＡのＡ−ＳＲＳ用ＴＰＣコマンドに従って閉ループＴＰＣを行ってもよい。これにより、ＰＵＳＣＨが集中する場合にはＰＵＳＣＨの閉ループＴＰＣにより送信電力が制御され、ＰＵＳＣＨの受信ノードでの受信に適する電力でＡ−ＳＲＳを送受信することができる。これにより、Ａ−ＳＲＳの送受信結果から、ＰＵＳＣＨのスケジューリングおよび適応制御を精度よく行うことができる。一方、ＰＤＳＣＨが集中する場合にはＤＣＩ  ｆｏｒｍａｔ  ３／３Ａの閉ループＴＰＣにより送信電力が制御され、ＰＵＳＣＨの受信ノード以外の受信ノードでの受信に適する電力でＡ−ＳＲＳを送受信することができる。これにより、Ａ−ＳＲＳの送受信結果から、以降の送受信ノードの選択、ＰＤＳＣＨのスケジューリング、および、適応制御を精度よく行うことができる。
【００５８】
また、５つのＡ−ＳＲＳのうち１つをＤＣＩ  ｆｏｒｍａｔ  ３／３Ａによる閉ループＴＰＣとし、残りをＰＵＳＣＨと連動する閉ループＴＰＣとすることで、Ａ−ＳＲＳのみで２種類の閉ループＴＰＣを実現し、Ｐ−ＳＲＳを用いずとも、Ａ−ＳＲＳのみで様々なＳＲＳの運用が可能となることを表している。Ａ−ＳＲＳは周期送信されず、送信要求のみに基づいて送信されるため、Ｐ−ＳＲＳよりも端末の消費電力低減や与干渉といった観点から有利である。このようにして、Ａ−ＳＲＳのみでＨｅｔＮｅｔ  ＣｏＭＰにおいて必要なＳＲＳの運用を行うことができる。
【００５９】
[バリエーション2]
ＤＣＩ  ｆｏｒｍａｔ  ３／３Ａは全ての下り回線サブフレームで送信される可能性があるが、Ａ−ＳＲＳのＴＰＣコマンドを含むＤＣＩ  ｆｏｒｍａｔ  ３／３Ａは、特定の時間および時間間隔のサブフレームまたはＰＲＢでのみ送信される、としてもよい。このようにすることで、端末３００は、全てのサブフレームでＤＣＩ  ｆｏｒｍａｔ  ３／３Ａの復号を試みる必要が無くなるため、処理負担を軽減できる。また、基地局ノード１００、２００は、特定の時間または時間間隔のサブフレームでのみＡ−ＳＲＳのＤＣＩ  ｆｏｒｍａｔ  ３／３Ａを送信すれば良いので、ＴＰＣコマンド送信に伴うオーバーヘッドを低減できる。
【００６０】
なお、Ａ−ＳＲＳのＴＰＣコマンドを含むＤＣＩ  ｆｏｒｍａｔ  ３／３Ａが特定の時間および時間間隔のサブフレームまたはＰＲＢでのみ送受信される場合、ＤＣＩ  ｆｏｒｍａｔ  ３／３ＡのＴＰＣコマンドの送信機会が減ってしまう。しかしＤＣＩ  ｆｏｒｍａｔ  ３／３Ａで閉ループＴＰＣを行うＡ−ＳＲＳは、ＰＵＳＣＨの受信ノードよりも遠方のノードにて受信され、送受信ノードの選択に用いられることを目的としたＳＲＳである可能性が高い。送受信ノードの選択に用いるＳＲＳには、ＰＵＳＣＨのスケジューリングに用いるＳＲＳと比較して、ＣＳＩの測定に高い精度および短い周期が要求されない。したがって、上記のようにＤＣＩ  ｆｏｒｍａｔ  ３／３Ａの送信サブフレームまたはＰＲＢを制約し、ＤＣＩ  ｆｏｒｍａｔ  ３／３Ａの送信機会を減らしても、Ａ−ＳＲＳの推定精度劣化は起こらない。
【００６１】
[バリエーション3]
さらに、Ａ−ＳＲＳのＴＰＣコマンドを送信するＤＣＩ  ｆｏｒｍａｔ  ３／３ＡのＣＲＣは、ＴＰＣ−ＳＲＳ−ＲＮＴＩでスクランブルされるのではなく、既存のＩＤ、すなわちＴＰＣ−ＰＵＳＣＨ−ＲＮＴＩまたはＴＰＣ−ＰＵＣＣＨ−ＲＮＴＩを再利用してもよい。ＴＰＣ−ＰＵＳＣＨ−ＲＮＴＩおよびＴＰＣ−ＰＵＣＣＨ−ＲＮＴＩは、ＤＣＩ  ｆｏｒｍａｔ  ３／３ＡをＰＵＳＣＨおよびＰＵＣＣＨに用いるためのＲＮＴＩである（例えば、非特許文献３参照）。
【００６２】
端末３００は、ＲＮＴＩの通知が無ければ、ＤＣＩ  ｆｏｒｍａｔ  ３／３Ａを復号することはできない。言い換えれば、セル内にＤＣＩ  ｆｏｒｍａｔ  ３／３ＡをＰＵＳＣＨ、ＰＵＣＣＨ、Ａ−ＳＲＳに用いる端末３００がそれぞれ１つ以上存在する場合、最低でも３つのＤＣＩ  ｆｏｒｍａｔ  ３／３Ａを送信しなければならない。
【００６３】
そこで、以下のようにすることで、サブフレームあたりに送信されるＤＣＩ  ｆｏｒｍａｔ  ３／３Ａの数を減らすことができる。まず、ＤＣＩ  ｆｏｒｍａｔ  ３／３ＡでＡ−ＳＲＳの閉ループＴＰＣを行う端末３００に対し、ＴＰＣ−ＰＵＳＣＨ−ＲＮＴＩまたはＴＰＣ−ＰＵＣＣＨ−ＲＮＴＩと、ＴＰＣコマンドインデックスとを通知する。また、当該端末３００に対し、さらに、ＤＣＩ  ｆｏｒｍａｔ  ３／３Ａに含まれる自端末宛のＴＰＣコマンドを、Ａ−ＳＲＳに適用することを指示する制御情報を通知する。
【００６４】
このようにすることで、ＤＣＩ  ｆｏｒｍａｔ  ３／３Ａを用いてＡ−ＳＲＳの閉ループＴＰＣを行う端末３００は、ＴＰＣ−ＰＵＳＣＨ−ＲＮＴＩまたはＴＰＣ−ＰＵＣＣＨ−ＲＮＴＩでＣＲＣがスクランブルされたＤＣＩ  ｆｏｒｍａｔ  ３／３Ａを用いて閉ループＴＰＣを行うことができる。したがって、ＰＵＳＣＨまたはＰＵＣＣＨ用のＴＰＣコマンドを含むＤＣＩ  ｆｏｒｍａｔ  ３／３ＡにＡ−ＳＲＳ用のＴＰＣコマンドを含めることができるので、同一サブフレームに必要となるＤＣＩ  ｆｏｒｍａｔ  ３／３Ａの数を減らし、オーバーヘッドを低減することができる。また、ＴＰＣ−ＳＲＳ−ＲＮＴＩは１６ビットであるのに対し、ＤＣＩ  ｆｏｒｍａｔ  ３／３Ａに含まれる自端末宛のＴＰＣコマンドを、Ａ−ＳＲＳに適用することを指示する制御情報は最低１ビット実現できるので、ＲＲＣ制御信号のオーバーヘッドも低減することができる。
【００６５】
[バリエーション4]
以上のように、ＤＣＩ  ｆｏｒｍａｔ  ３／３Ａを用いてＡ−ＳＲＳの閉ループＴＰＣを行う端末３００は、Ａ−ＳＲＳに関する制御信号として、ＴＰＣコマンドを含むＤＣＩ  ｆｏｒｍａｔ  ３／３Ａ、および、送信要求を含むＤＣＩ  ｆｏｒｍａｔ  ０／１Ａ／２Ｂ／２Ｃ／４を用いる。実施の形態１では、同一サブフレームにおいて、ＤＣＩ  ｆｏｒｍａｔ  ３／３Ａに自端末宛のＡ−ＳＲＳのＴＰＣコマンドが含まれるか否か、ということと、ＤＣＩ  ｆｏｒｍａｔ  ０／１Ａ／２Ｂ／２Ｃ／４でＡ−ＳＲＳの送信要求があるか否か、ということの組み合わせにより、送信電力の計算に使用するＴＰＣコマンド累積値として、ｆｃ（ｉ）とｈｃ（ｉ）とを切り替えてもよい。
【００６６】
基地局は、当該端末３００に対し、同一サブフレームにおいて、ＤＣＩ  ｆｏｒｍａｔ０／４／１Ａ／２Ｂ／２Ｃ無しで、ＤＣＩ  ｆｏｒｍａｔ  ３／３ＡによるＡ−ＳＲＳのＴＰＣコマンドのみを送信することをしない。基地局は、ＤＣＩ  ｆｏｒｍａｔ  ３／３ＡによるＡ−ＳＲＳのＴＰＣコマンドを送信する場合、かならず前記いずれかのＤＣＩも同時に送信する。
【００６７】
端末３００は、同一サブフレームにおいて、何れかのＤＣＩによるＡ−ＳＲＳの送信要求が検出されず、ＤＣＩ  ｆｏｒｍａｔ  ３／３ＡにＡ−ＳＲＳのＴＰＣコマンドのみが検出された場合、当該ＴＰＣコマンドを累積せず、破棄する。端末３００は、自端末宛のＤＣＩ  ｆｏｒｍａｔ  ０／４／１Ａ／２Ｂ／２Ｃと、ＤＣＩ  ｆｏｒｍａｔ  ３／３ＡによるＡ−ＳＲＳのＴＰＣコマンドと、が同一サブフレームに検出された場合のみ、当該ＴＰＣコマンドをｈｃ（ｉ）に累積する。
【００６８】
このようにすることで、基地局と端末３００との間でｈｃ（ｉ）の値の認識がずれる可能性を低減できる。ＤＣＩ  ｆｏｒｍａｔ  ３／３ＡによるＡ−ＳＲＳへのＴＰＣコマンドを単独で送信可能とすると、基地局は、基地局が送信したＴＰＣコマンドが端末３００に正しく検出されているか否かを把握することができない。また、端末にとっても、ＴＰＣコマンドを正しく検出し、累積できているのか不明である。したがって、基地局がＡ−ＳＲＳの送信要求を行うと、基地局の想定とは大きく異なる送信電力でＡ−ＳＲＳが送信され、他セル干渉を増大させてしまう懸念がある。一方、本方法では、基地局は、端末３００に対し、ＤＣＩ  ｆｏｒｍａｔ  ３／３ＡによるＡ−ＳＲＳのＴＰＣコマンドを送信するときは、かならずＤＣＩ  ｆｏｒｍａｔ  ０／４／１Ａ／２Ｂ／２Ｃも同時に送信する。また、端末３００は、ＤＣＩ  ｆｏｒｍａｔ  ３／３ＡによるＡ−ＳＲＳのＴＰＣコマンド、および、前記ＤＣＩのいずれか、の両方が同時に検出されたときに限り、当該ＴＰＣコマンドをｈｃ（ｉ）に累積する。したがって、ＴＰＣコマンドが検出されてｈｃ（ｉ）に累積されたときには必ず、端末３００は、ＤＣＩ  ｆｏｒｍａｔ  ０／４／１Ａ／２Ｂ／２Ｃによって制御情報が送信されたＰＵＳＣＨ、または、ＰＤＳＣＨに対応するＰＵＣＣＨを送信する。基地局は、当該端末３００からＰＵＳＣＨまたはＰＵＣＣＨの送信があるかないかで、ｈｃ（ｉ）へのＴＰＣコマンドの累積が行われたかどうかを把握することができる。
【００６９】
なお、ＤＣＩ  ｆｏｒｍａｔ  ３／３ＡによるＡ−ＳＲＳのＴＰＣコマンドと、ＤＣＩ  ｆｏｒｍａｔ  ０／１Ａ／２Ｂ／２Ｃ／４によるＡ−ＳＲＳの送信要求とは、前記のように同一サブフレームタイミングでなく、所定のサブフレームタイミング差を規定した場合でも、同等の効果を実現することができる。
【００７０】
[バリエーション5]
前記に加え、端末３００は、同一サブフレームまたは所定のサブフレームタイミング差において、何れかのＤＣＩによるＡ−ＳＲＳの送信要求が検出され、ＤＣＩ  ｆｏｒｍａｔ  ３／３ＡにおいてＡ−ＳＲＳのＴＰＣコマンドが検出されなかった場合、式（１）を用いて算出された送信電力を用いてＡ−ＳＲＳを送信してもよい。すなわち、端末３００は、累積値ｆｃ（ｉ）を用いて送信電力を計算する。
【００７１】
このようにすることで、当該端末３００に割り当てたＡ−ＳＲＳの無線リソースを有効活用できる。式（１）はＰＵＳＣＨ受信ノードでの受信を目的として計算される送信電力であり、式（２）はそれ以外のノードでも受信できるよう計算される送信電力である。したがって、式（１）は式（２）よりも小さい値である可能性が高い。すなわち、式（１）により送信されたＡ−ＳＲＳは、式（２）を用いた場合に比べて他セル干渉が小さい。
【００７２】
基地局は、端末３００にＡ−ＳＲＳの送信要求を行っている時点で、当該端末３００にＡ−ＳＲＳを送信するための無線リソースを割り当てている。したがって、端末３００は、ＤＣＩ  ｆｏｒｍａｔ  ３／３ＡによるＴＰＣコマンドを検出できなかった場合でも、式（１）による送信電力でＡ−ＳＲＳを送信することで、割り当てられた無線リソースをＡ−ＳＲＳの送信にあてることができる。また、このとき、端末３００が送信電力の計算に式（１）を用いることで、他セル干渉の増加を抑えることができる。
【００７３】
＜実施の形態２＞
実施の形態２では、Ａ−ＳＲＳの閉ループＴＰＣを、ＤＣＩ  ｆｏｒｍａｔ  １／１Ａ／１Ｂ／１Ｄ／２／２Ａ／２Ｂ／２Ｃに含まれるＴＰＣコマンドによって行う場合について説明する。ここで、ＤＣＩ  ｆｏｒｍａｔ  １／１Ａ／１Ｂ／１Ｄ／２／２Ｂ／２Ｃに含まれるＴＰＣコマンドは、従来、ＰＵＣＣＨに適用され、ｇ（ｉ）に累積されていたＴＰＣコマンドのことである。なお、端末３００には、Ａ−ＳＲＳの閉ループＴＰＣを、ＤＣＩ  ｆｏｒｍａｔ  １／１Ａ／１Ｂ／１Ｄ／２／２Ａ／２Ｂ／２Ｃに含まれるＴＰＣコマンドによって行うことを、ＲＲＣ制御情報などにより、基地局から予め指示されているものとする。端末３００は、上記の指示を受けたら、Ａ−ＳＲＳの送信電力式におけるｆｃ（ｉ）を、ｇ（ｉ）で置き換える。
【００７４】
実施の形態２のネットワークシステムの構成は、実施の形態１と同一である。また、実施の形態２において、マクロノード１００、ピコノード２００、端末３００の主要な構成は、実施の形態１と同一である。実施の形態２では、端末３００の制御部３０２の機能が、実施の形態１と異なる。
【００７５】
［端末の追加機能］
端末３００の制御部３０２は、ＰＵＣＣＨのＴＰＣコマンドを用いてＡ−ＳＲＳの閉ループＴＰＣを行う。すなわち、制御部３０２は、受信したＤＣＩ  ｆｏｒｍａｔ  １／１Ａ／１Ｂ／１Ｄ／２／２Ｂ／２Ｃに含まれるＴＰＣコマンドに基づいて、Ａ−ＳＲＳの送信電力を調整する。したがってＡ−ＳＲＳの送信電力は、式（３）で与えられる。ここで、式（３）に含まれるｇ（ｉ）は、ＰＵＣＣＨの送信電力式に含まれるＴＰＣコマンドの累積値である。
【数３】
2014020815.tif 000005
【００７６】
［効果］
本実施の形態によれば、Ａ−ＳＲＳの閉ループＴＰＣを、ＰＵＣＣＨのＴＰＣコマンドによって行うことができる。ＰＵＣＣＨは制御信号であり、再送制御の機能を有していないことから、ＰＵＳＣＨに比べて高品質かつ確実に受信される必要がある。したがって、ＰＵＳＣＨに比べてより多くの受信ノードで受信することで、高い受信ダイバーシチ効果が得られるよう閉ループＴＰＣが行われる可能性が高い。また、ＰＵＣＣＨは下り回線の再送制御または送信適応制御のフィードバック情報を含むことから、ＰＤＳＣＨの送信ノードでも受信されるよう閉ループＴＰＣが行われる可能性も高い。さらに、再送制御または送信適応制御がマクロノードの制御部１０４で行われることを考慮すれば、ＰＵＣＣＨに対しては、端末３００の場所に関わらずマクロノード１００で受信できるよう閉ループＴＰＣが行われる可能性も高い。
【００７７】
多くのノードでＰＵＣＣＨが受信されるためには、ＰＵＳＣＨよりも大きな電力で送信する必要がある。また、ＰＤＳＣＨの送信ノードは、ＰＵＳＣＨの受信ノードと同じか、それよりも遠方に位置することが多く、ＰＤＳＣＨの送信ノードでＰＵＣＣＨを受信させるためには、ＰＵＳＣＨよりも大きな電力でＰＵＣＣＨを送信する必要がある。ＰＵＣＣＨをマクロノード１００で送信する場合も、近傍のノードで受信されるＰＵＳＣＨに比べて、大きな電力で送信しなければならない。以上のことから、ＰＵＣＣＨにはＰＵＳＣＨよりも広いカバレッジを実現する必要があるといえる。したがって、Ａ−ＳＲＳの閉ループＴＰＣを、ＰＵＣＣＨのＴＰＣコマンドによって行うことで、実施の形態１と同等の効果を達成することができる。また、このとき、新たなＴＰＣコマンドを使用しなくて良いため、Ａ−ＳＲＳの閉ループＴＰＣに要するシグナリングを増加させる必要が無い。
【００７８】
[バリエーション1]
実施の形態２では、ＤＣＩ  ｆｏｒｍａｔ  １／１Ａ／１Ｂ／１Ｄ／２／２Ａ／２Ｂ／２Ｃに含まれるＴＰＣコマンドによりＡ−ＳＲＳの閉ループＴＰＣを行う場合について説明した。しかし、ＤＣＩ  ｆｏｒｍａｔ  １／１Ａ／１Ｂ／１Ｄ／２／２Ａ／２Ｂ／２Ｃに含まれるＴＰＣコマンドにより特定のＡ−ＳＲＳのみ閉ループＴＰＣを行う、としてもよい。特定のＡ−ＳＲＳとは、前述のようにＤＣＩの種別および送信要求ビットの値によって独立に設定されるパラメータセットを有する、５種類のＡ−ＳＲＳのうちいずれか、である。
【００７９】
これにより、一部のＡ−ＳＲＳの閉ループＴＰＣをＰＵＳＣＨに連動させ、また一部のＡ−ＳＲＳの閉ループＴＰＣをＰＵＣＣＨに連動させることで、Ａ−ＳＲＳの種別に応じて異なるカバレッジを形成することができる。したがって、Ｐ−ＳＲＳを用いずとも、Ａ−ＳＲＳのみで様々なＳＲＳの運用が可能となる。ＤＣＩの種別および送信要求ビットの値に応じて、どのＡ−ＳＲＳをＤＣＩ  ｆｏｒｍａｔ  １／１Ａ／１Ｂ／１Ｄ／２／２Ａ／２Ｂ／２Ｃに含まれるＴＰＣコマンドの適用対象とするか、については、あらかじめ規定されていてもよいし、ＲＲＣ制御情報などにより基地局が指示してもよい。
【００８０】
[バリエーション2]
実施の形態２では、基地局からのＤＣＩ  ｆｏｒｍａｔ  １／１Ａ／１Ｂ／１Ｄ／２／２Ａ／２Ｂ／２Ｃに含まれるＴＰＣコマンドによってＡ−ＳＲＳの閉ループＴＰＣを行うことを設定されたときに、Ａ−ＳＲＳの送信電力式におけるｆｃ（ｉ）をｇ（ｉ）で置き換える場合について説明した。しかし、ｆｃ（ｉ）を保持したまま、累積するＴＰＣコマンドをＤＣＩ  ｆｏｒｍａｔ  １／１Ａ／１Ｂ／１Ｄ／２／２Ａ／２Ｂ／２Ｃに含まれるＴＰＣコマンドとしてもよい。すなわち、前記の設定が行われた時点ではＴＰＣコマンド累積値はｆｃ（ｉ）に等しく、その後の累積対象となるＴＰＣコマンドを、ＤＣＩ  ｆｏｒｍａｔ  １／１Ａ／１Ｂ／１Ｄ／２／２Ａ／２Ｂ／２Ｃに含まれるＴＰＣコマンドとする。
【００８１】
このようにすることで、Ａ−ＳＲＳの閉ループＴＰＣを行うＴＰＣコマンドが切り替えられたときに、ｆｃ（ｉ）がｇ（ｉ）で置き換えられ、切り替え前後で送信電力が大きく変わってしまい、Ａ−ＳＲＳを過剰な電力で送信して他セル干渉を増大する可能性、または、過小な電力で送信して対象となるノードにおいて所要の品質で受信できなくなることを回避できる。
【００８２】
以上、本発明の各実施の形態について説明した。
【００８３】
また、上記実施の形態では、本発明をハードウェアで構成する場合を例にとって説明したが、本発明はハードウェアとの連携においてソフトウェアで実現することも可能である。
【００８４】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００８５】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００８６】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００８７】
以上、上記実施の形態に係る無線通信端末装置は、アペリオディック・サウンディング・リファレンス・シグナル（Ａ−ＳＲＳ）に適用する送信電力制御コマンド（ＴＰＣコマンド）を含んだ制御信号を物理下り制御チャネル（ＰＤＣＣＨ）を介して受信する受信部と、前記ＴＰＣコマンドを用いてＡ−ＳＲＳの送信電力値を更新する制御部と、物理下りデータチャネル（ＰＤＳＣＨ）割り当てまたは物理上りデータチャネル（ＰＵＳＣＨ）割り当てを通知する制御信号に含まれる送信要求に従って、前記更新された送信電力値でＡ−ＳＲＳを送信する送信部と、を具備する構成を採る。
【００８８】
また、上記実施の形態に係る無線通信端末装置では、前記Ａ−ＳＲＳは、前記送信要求を含む制御信号の種別と送信要求ビットのステートとが特定の組み合わせの場合に送信されるＡ−ＳＲＳである。
【００８９】
また、上記実施の形態に係る無線通信端末装置では、前記ＴＰＣコマンドは、当該無線通信端末装置にＰＵＳＣＨ割り当てを通知する制御信号とは別の制御信号に含まれるＴＰＣコマンドであり、前記ＴＰＣコマンドを含む制御信号は、１つまたは複数の前記無線通信端末装置を対象とする１つまたは複数のＴＰＣコマンドにより構成され、前記制御部は、前記制御信号から自端末のＡ−ＳＲＳを対象とするＴＰＣコマンドを検出して、当該ＴＰＣコマンドを用いて前記Ａ−ＳＲＳの送信電力値を更新する。
【００９０】
また、上記実施の形態に係る無線通信端末装置では、前記ＴＰＣコマンドを含む制御信号は、１つまたは複数の前記無線通信端末装置に対してＰＵＳＣＨまたは物理上り制御チャネル（ＰＵＣＣＨ）のいずれかのＴＰＣコマンドを１つまたは複数含む制御信号であり、前記制御信号は、前記１つまたは複数の無線通信端末装置を対象とする１つまたは複数のＴＰＣコマンドにより構成され、前記制御部は、前記制御信号から自端末のＡ−ＳＲＳを対象とするＴＰＣコマンドを検出して、当該ＴＰＣコマンドを用いて前記Ａ−ＳＲＳの送信電力値を更新する。
【００９１】
また、上記実施の形態に係る無線通信端末装置では、前記ＴＰＣコマンドを含む制御信号、および、前記送信要求を含む制御信号の２つの制御信号は、同一サブフレームまたは所定のサブフレーム時間差で送信され、前記制御部は、前記２つの制御信号が同一サブフレームまたは所定のサブフレーム時間差で検出された場合に限り、前記Ａ−ＳＲＳの送信電力値を更新する。
【００９２】
また、上記実施の形態に係る無線通信端末装置では、前記制御部は、同一サブフレームまたは所定のサブフレーム時間差においてＡ−ＳＲＳの送信要求を検出し、Ａ−ＳＲＳのＴＰＣコマンドを検出しなかった場合に、ＰＵＳＣＨのＴＰＣコマンド累積値を用いて前記Ａ−ＳＲＳの送信電力値を計算する。
【００９３】
また、上記実施の形態に係る無線通信端末装置では、前記ＴＰＣコマンドを含む制御信号は、ＰＵＣＣＨのＴＰＣコマンドを含む制御信号であり、前記制御部は、前記ＰＵＣＣＨのＴＰＣコマンドを用いて前記Ａ−ＳＲＳの送信電力値を更新する。
【００９４】
また、上記実施の形態に係る無線通信基地局装置は、アペリオディック・サウンディング・リファレンス・シグナル（Ａ−ＳＲＳ）に適用する送信電力制御コマンド（ＴＰＣコマンド）を含んだ制御信号を物理下り制御チャネル（ＰＤＣＣＨ）を介して送信する送信部と、前記ＴＰＣコマンドを用いてＡ−ＳＲＳの送信電力値の更新を指示する制御部と、受信したＡ−ＳＲＳによりチャネル・ステート・インフォメーション（ＣＳＩ）を測定する制御部と、物理下りデータチャネル（ＰＤＳＣＨ）割り当てまたは物理上りデータチャネル（ＰＵＳＣＨ）割り当てを通知する制御信号に送信要求を含んで送信する送信部と、を具備する構成を採る。
【００９５】
また、上記実施の形態に係る無線通信方法は、アペリオディック・サウンディング・リファレンス・シグナル（Ａ−ＳＲＳ）に適用する送信電力制御コマンド（ＴＰＣコマンド）を含んだ制御信号を物理下り制御チャネル（ＰＤＣＣＨ）を介して受信し、前記ＴＰＣコマンドを用いてＡ−ＳＲＳの送信電力値を更新し、物理下りデータチャネル（ＰＤＳＣＨ）割り当てまたは物理上りデータチャネル（ＰＵＳＣＨ）割り当てを通知する制御信号に含まれる送信要求に従って、前記更新された送信電力値でＡ−ＳＲＳを送信する。
【００９６】
２０１２年８月１日出願の特願２０１２−１７１０８６の日本出願に含まれる明細書、図面および要約書の開示内容は、すべて本願に援用される。
【産業上の利用可能性】
【００９７】
本発明は、移動体通信システムの無線通信端末装置、無線通信基地局装置および無線通信方法等に適用できる。
【符号の説明】
【００９８】
１００  マクロノード
１０１  受信部
１０２  測定部
１０３  基地局間インターフェース部
１０４  制御部
１０５  送信部
１０６  データ判定部
２００  ピコノード
２０１  受信部
２０２  測定部
２０３  基地局間インターフェース部
２０４  送信部
３００  端末
３０１  受信部
３０２  制御部
３０３  送信部
【図１】
2014020815.tif 000006
【図２】
2014020815.tif 000007
【図３】
2014020815.tif 000008
【図４】
2014020815.tif 000009
【図５】
2014020815.tif 000010
【図６】
2014020815.tif 000011
【図７】
2014020815.tif 000012
【国際調査報告】
2014020815.tif 000013
2014020815.tif 000014
2014020815.tif 000015